(57)【要約】【課題】床暖房システムの複雑化を招くことなく、制御装置の制御作動により、暖房対象室の室温を、快適な室温が必要な時刻までに快適な温度まで温めておけるようにする。【解決手段】床暖房システムは、暖房対象室の床部に設置される床暖房パネルを有して暖房対象室を暖める床暖房装置と、床暖房装置の作動を制御する制御装置と、暖房対象室の室温を検出する室温検出器とを備え、制御装置は、使用者が入力した快温必要時刻と、床暖房装置の運転開始時刻から室温が快適温度に達するまでの快温到達時間と、を含む床暖房装置の運転に関する時間情報を取得して記憶する時間情報取得処理と、時間情報に基づいて、快温必要時刻に室温が快適温度に達するのに必要なプレ運転時間を取得するプレ運転時間取得処理と、快温必要時刻からプレ運転時間を遡った時刻に床暖房装置の運転を開始させるプレ運転開始処理とを行う。【選択図】図２
2018169085.tif 000002
【特許請求の範囲】
【請求項１】
暖房対象室の床部に設置される床暖房パネルを有して前記暖房対象室を暖める床暖房装置と、
前記床暖房装置の作動を制御する制御装置とを備えた床暖房システムであって、
前記暖房対象室の室温を検出する室温検出器を備え、
前記制御装置は、
使用者が入力した快温必要時刻と、前記床暖房装置の運転開始時刻から前記室温が快適温度に達するまでの快温到達時間と、を含む前記床暖房装置の運転に関する時間情報を取得して記憶する時間情報取得処理と、
前記時間情報に基づいて、前記快温必要時刻に前記室温が快適温度に達するのに必要なプレ運転時間を取得するプレ運転時間取得処理と、
前記快温必要時刻から前記プレ運転時間を遡った時刻に前記床暖房装置の運転を開始させるプレ運転開始処理とを行う床暖房システム。
【請求項２】
前記制御装置は、
前記時間情報取得処理において、前記時間情報として、前記快温必要時刻と前記快温到達時間とに加えて、前記床暖房装置の運転開始時刻と、前記床暖房装置の運転停止時刻と、前記運転停止時刻から前記運転開始時刻までの連続停止時間とを取得し、
前記プレ運転時間取得処理として、
前記連続停止時間にその直後の前記快温到達時間を加えて、前記運転停止時点から前記室温が快適温度に達するまでの停止後快温到達時間を求める第１演算処理と、
直近の数日間に取得した複数の前記連続停止時間と複数の前記快温到達時間と、直近の数日間に求めた複数の前記停止後快温到達時間とに基づいて、前記連続停止時間と、その直後の前記快温到達時間と、前記停止後快温到達時間との関係を示す関係情報を生成する関係情報取得処理と、
前記快温必要時刻からその前の前記運転停止時刻までの逆算快温到達時間を求める第２演算処理と、
前記関係情報と前記逆算快温到達時間とに基づいて、前記逆算快温到達時間に類似する前記停止後快温到達時間を抽出する抽出処理と、
抽出した前記停止後快温到達時間に含まれている前記快温到達時間を前記プレ運転時間に設定するプレ運転時間設定処理とを行う請求項１に記載の床暖房システム。
【請求項３】
外気温を検出する外気温検出器を備え、
前記制御装置は、
前記床暖房装置の運転停止中に外気温を取得して記憶する外気温取得処理を行い、
前記関係情報取得処理においては、直近の数日間に取得した複数の前記外気温が、前記停止後快温到達時間との関係を示す状態で前記関係情報に含まれるように、前記関係情報を生成し、
前記抽出処理において、前記逆算快温到達時間に類似する前記停止後快温到達時間が複数ある場合は、前記逆算快温到達時間に含まれる前記連続停止時間に取得した最新外気温に類似する前記外気温に対応する前記停止後快温到達時間を抽出する請求項２に記載の床暖房システム。
【請求項４】
前記制御装置は、
前記時間情報取得処理において、前記時間情報として、前記床暖房装置の前記運転開始時刻から運転停止時刻までの連続運転時間を取得し、
前記快温必要時刻から直近の前記連続運転時間が、前記室温を快適温度に所定時間維持することが可能な快温維持時間に達していたか否かを判定する快温維持時間到達判定処理を行い、
前記快温維持時間到達判定処理にて直近の前記連続運転時間が前記快温維持時間に達していないと判定した場合は、前記プレ運転時間設定処理において、初期設定された最長快温到達時間を前記プレ運転時間に設定する請求項２又は３に記載の床暖房システム。
【請求項５】
前記制御装置は、
前記時間情報取得処理において、前記時間情報として、前記床暖房装置の前記運転開始時刻から運転停止時刻までの連続運転時間を取得し、
前記快温必要時刻から直近の前記連続運転時間が、前記室温を快適温度に所定時間維持することが可能な快温維持時間に達しているか否かを判定する第１判定処理と、
前記逆算快温到達時間が前記所定時間を超えているか否かを判定する第２判定処理とを行い、
前記第１判定処理にて直近の前記連続運転時間が前記快温維持時間に達していると判定し、かつ、前記第２判定処理にて前記逆算快温到達時間が前記所定時間を超えていないと判定した場合は、前記プレ運転時間設定処理において、前記プレ運転時間を零に設定する請求項２〜４のいずれか一項に記載の床暖房システム。
【発明の詳細な説明】
【技術分野】
【０００１】
本発明は、暖房対象室の床部に設置される床暖房パネルを有して前記暖房対象室を暖める床暖房装置と、前記床暖房装置の作動を制御する制御装置とを備えた床暖房システムに関する。
【背景技術】
【０００２】
床暖房システムは、床暖房パネルで床材を暖めることによって生じる熱の輻射、伝導、対流を利用することにより、暖房対象室の全体をムラなく均一に暖めることができる。しかしながら、床暖房システムは、暖房対象室の全体をムラなく均一に暖めるためには、床暖房パネルからの熱を暖房対象室の壁や天井などに吸収させる必要があることから、快適な室温が得られるまでに時間がかかることが知られている。そのため、使用者は、床暖房装置を使用して、暖房対象室の室温を、快適な室温が必要な時刻までに快適な温度まで温めておくには、床暖房装置の運転開始から暖房対象室の室温が快適温度に達するまでに要する所要時間を推測し、快適な室温が必要な起床時刻や帰宅時刻などから前述した所要時間を遡った時刻を、床暖房装置の運転開始予定時刻として制御装置に入力する必要がある。
【０００３】
しかしながら、使用者が前述した所要時間を正確に推測するには、暖房対象室の構造（例えば断熱性など）や外気温などを考慮する必要があることから、前述した所要時間を正確に推測することが難しく、前述した所要時間の推測を誤った場合には、暖房対象室の室温を、快適な室温が必要な時刻までに快適な温度まで温めておくことができなくなる。
【０００４】
そこで、床暖房システムにおいては、制御装置（制御手段）が、ユビキタスネットワーク上のサーバに記録されている、気象データや各室の温熱環境データを含むネットワーク情報に基づいて、暖房運転の開始時期などを演算して判断するように構成されたものがある（例えば特許文献１参照）。
【先行技術文献】
【特許文献】
【０００５】
【特許文献１】特開２００５−２５７１６３号公報
【発明の概要】
【発明が解決しようとする課題】
【０００６】
上記の構成においては、制御装置をユビキタスネットワーク上のサーバに接続する必要があるとともに、制御装置が、気象データや各室の温熱環境データを含むネットワーク情報に基づいて、暖房運転の開始時期などを演算して判断する必要があることから、床暖房システムが複雑になる不都合を招くことになる。
【０００７】
つまり、床暖房システムの複雑化を招くことなく、制御装置の制御作動により、暖房対象室の室温を、快適な室温が必要な時刻までに快適な温度まで温めておくことができるようにすることが望まれている。
【課題を解決するための手段】
【０００８】
上記の課題を解決するための構成として、
本発明は、暖房対象室の床部に設置される床暖房パネルを有して前記暖房対象室を暖める床暖房装置と、前記床暖房装置の作動を制御する制御装置とを備えた床暖房システムにおいて、
前記暖房対象室の室温を検出する室温検出器を備え、
前記制御装置は、
使用者が入力した快温必要時刻と、前記床暖房装置の運転開始時刻から前記室温が快適温度に達するまでの快温到達時間と、を含む前記床暖房装置の運転に関する時間情報を取得して記憶する時間情報取得処理と、
前記時間情報に基づいて、前記快温必要時刻に前記室温が快適温度に達するのに必要なプレ運転時間を取得するプレ運転時間取得処理と、
前記快温必要時刻から前記プレ運転時間を遡った時刻に前記床暖房装置の運転を開始させるプレ運転開始処理とを行うように構成されている。
【０００９】
この構成によると、制御装置が時間情報取得処理にて取得する快温到達時間は、暖房対象室の構造、暖房対象室の壁や天井などにおける蓄熱量、及び、暖房対象室周辺の外気温、などの影響を受けるものであることから、取得した快温到達時間には、暖房対象室の構造、暖房対象室の壁や天井などにおける蓄熱量、及び、暖房対象室周辺の外気温、などが加味されている。
【００１０】
これにより、制御装置は、使用者が入力した快温必要時刻を取得すると、ユビキタスネットワーク上のサーバに記録されている気象データや各室の温熱環境データなどを取得しなくても、前述した時間情報取得処理とプレ運転時間取得処理とプレ運転開始処理とを行うことにより、暖房対象室の構造、暖房対象室の壁や天井などにおける蓄熱量、及び、暖房対象室周辺の外気温、などが考量された適正なプレ運転時間を取得することができるとともに、快温必要時刻からプレ運転時間を遡った適正なプレ運転時刻に、床暖房装置の運転を開始させることができる。
【００１１】
その結果、床暖房システムの複雑化を招くことなく、制御装置の制御作動により、暖房対象室の室温を、快適な室温が必要な時刻までに快適な温度まで温めておくことができる。
【００１２】
本発明をより好適にするための構成の一つとして、
前記制御装置は、
前記時間情報取得処理において、前記時間情報として、前記快温必要時刻と前記快温到達時間とに加えて、前記床暖房装置の運転開始時刻と、前記床暖房装置の運転停止時刻と、前記運転停止時刻から前記運転開始時刻までの連続停止時間とを取得し、
前記プレ運転時間取得処理として、
前記連続停止時間にその直後の前記快温到達時間を加えて、前記運転停止時点から前記室温が快適温度に達するまでの停止後快温到達時間を求める第１演算処理と、
直近の数日間に取得した複数の前記連続停止時間と複数の前記快温到達時間と、直近の数日間に求めた複数の前記停止後快温到達時間とに基づいて、前記連続停止時間と、その直後の前記快温到達時間と、前記停止後快温到達時間との関係を示す関係情報を生成する関係情報取得処理と、
前記快温必要時刻からその前の前記運転停止時刻までの逆算快温到達時間を求める第２演算処理と、
前記関係情報と前記逆算快温到達時間とに基づいて、前記逆算快温到達時間に類似する前記停止後快温到達時間を抽出する抽出処理と、
抽出した前記停止後快温到達時間に含まれている前記快温到達時間を前記プレ運転時間に設定するプレ運転時間設定処理とを行うように構成されている。
【００１３】
この構成によると、制御装置は、関係情報取得処理にて、プレ運転時間の取得に影響を及ぼす外気温などの差が小さい直近の数日間に取得または求めた複数の連続停止時間と複数の快温到達時間と複数の停止後快温到達時間とに基づいて関係情報を生成し、抽出処理にて、関係情報のうちの第２演算処理で求めた逆算快温到達時間に類似する停止後快温到達時間に含まれている快温到達時間をプレ運転時間に設定することから、外気温を検出する外気温検出器などを設けることなく、外気温などがより適正に考慮されたプレ運転時間を取得することができる。
【００１４】
その結果、より適正なプレ運転時刻に床暖房装置の運転を開始させることができ、暖房対象室の室温を、より確実に快適な室温が必要な時刻までに快適な温度まで温めておくことができる。
【００１５】
本発明をより好適にするための構成の一つとして、
外気温を検出する外気温検出器を備え、
前記制御装置は、
前記床暖房装置の運転停止中に外気温を取得して記憶する外気温取得処理を行い、
前記関係情報取得処理においては、直近の数日間に取得した複数の前記外気温が、前記停止後快温到達時間との関係を示す状態で前記関係情報に含まれるように、前記関係情報を生成し、
前記抽出処理において、前記逆算快温到達時間に類似する前記停止後快温到達時間が複数ある場合は、前記逆算快温到達時間に含まれる前記連続停止時間に取得した最新外気温に類似する前記外気温に対応する前記停止後快温到達時間を抽出するように構成されている。
【００１６】
この構成によると、制御装置は、逆算快温到達時間に類似する停止後快温到達時間が複数ある場合には、最新外気温に適した停止後快温到達時間に含まれている快温到達時間をプレ運転時間に設定することから、外気温などがより適正に考慮されたプレ運転時間を取得することができる。
【００１７】
その結果、より適正なプレ運転時刻に床暖房装置の運転を開始させることができ、暖房対象室の室温を、より確実に快適な室温が必要な時刻までに快適な温度まで温めておくことができる。
【００１８】
本発明をより好適にするための構成の一つとして、
前記制御装置は、
前記時間情報取得処理において、前記時間情報として、前記床暖房装置の前記運転開始時刻から運転停止時刻までの連続運転時間を取得し、
前記快温必要時刻から直近の前記連続運転時間が、前記室温を快適温度に所定時間維持することが可能な快温維持時間に達していたか否かを判定する快温維持時間到達判定処理を行い、
前記快温維持時間到達判定処理にて直近の前記連続運転時間が前記快温維持時間に達していないと判定した場合は、前記プレ運転時間設定処理において、初期設定された最長快温到達時間を前記プレ運転時間に設定するように構成されている。
【００１９】
快温必要時刻から直近の連続運転時間が快温維持時間に達していない場合は、快温必要時刻から直近の床暖房装置の運転中に、床暖房パネルからの熱が暖房対象室の壁や天井などに充分に吸収されていないことから、プレ運転時間を設定する上において、暖房対象室の壁や天井などにおける蓄熱量を考慮する必要性が大幅に低下する。
【００２０】
この点を考慮して、この構成においては、快温必要時刻から直近の連続運転時間が快温維持時間に達していない場合は、制御装置が、初期設定された最長快温到達時間をプレ運転時間に設定するようにしている。これにより、制御装置は、快温必要時刻から直近の連続運転時間が快温維持時間に達していない場合のプレ運転時間取得処理においては、演算処理や関係情報取得処理を行う必要がなくなる。
【００２１】
その結果、快温必要時刻から直近の連続運転時間が快温維持時間に達していない場合においては、制御装置の負担を軽減しながら適正なプレ運転時間を設定することができる。
【００２２】
本発明をより好適にするための構成の一つとして、
前記制御装置は、
前記時間情報取得処理において、前記時間情報として、前記床暖房装置の前記運転開始時刻から運転停止時刻までの連続運転時間を取得し、
前記快温必要時刻から直近の前記連続運転時間が、前記室温を快適温度に所定時間維持することが可能な快温維持時間に達しているか否かを判定する第１判定処理と、
前記逆算快温到達時間が前記所定時間を超えているか否かを判定する第２判定処理とを行い、
前記第１判定処理にて直近の前記連続運転時間が前記快温維持時間に達していると判定し、かつ、前記第２判定処理にて前記逆算快温到達時間が前記所定時間を超えていないと判定した場合は、前記プレ運転時間設定処理において、前記プレ運転時間を零に設定するように構成されている。
【００２３】
快温必要時刻から直近の連続運転時間が快温維持時間に達している場合は、快温必要時刻から直近の床暖房装置の運転中に、床暖房パネルからの熱が暖房対象室の壁や天井などに充分に吸収されており、逆算快温到達時間が前述した所定時間を超えていない場合は、暖房対象室の壁や天井などにおける蓄熱量の低下が少ないことから、暖房対象室の室温が快適な温度に維持されていると推測される。
【００２４】
この点を考慮して、この構成においては、快温必要時刻から直近の連続運転時間が快温維持時間に達しており、かつ、逆算快温到達時間が前述した所定時間を超えていない場合は、制御装置が、プレ運転時間を零に設定するようにしている。
【００２５】
その結果、制御装置は、快温必要時刻から直近の連続運転時間が快温維持時間に達しており、かつ、逆算快温到達時間が前述した所定時間を超えていない場合は、プレ運転時間取得処理において演算処理や関係情報取得処理を行うことなく、床暖房装置の不要なプレ運転を防止することができる。
【図面の簡単な説明】
【００２６】
【図１】床暖房システムの概略図である。
【図２】直近の数日間における連続停止時間とその直後の快温到達時間と停止後快温到達時間と外気温との関係を示す図である。
【図３】直近の数日間における連続運転時間と連続停止時間とその直後の快温到達時間と停止後快温到達時間と外気温との関係を示す図である。
【発明を実施するための形態】
【００２７】
以下、本発明を実施するための形態の一例として、本発明を、床暖房システムの一例である温水式の床暖房システムに適用した実施形態を図面に基づいて説明する。
【００２８】
図１に示すように、本実施形態に例示された温水式の床暖房システムは、暖房対象室１を暖める床暖房装置２、床暖房装置２の作動を制御する制御装置３、及び、暖房対象室１に制御装置３と通信可能に設置された遠隔操作装置４、などを備えている。
【００２９】
床暖房装置２は、暖房対象室１の床部に設置される床暖房パネル５、床暖房パネル５に熱媒を循環供給する熱源機６、熱源機６から床暖房パネル５にわたる熱媒供給路を形成する供給用配管７、床暖房パネル５から熱源機６にわたる熱媒還元路を形成する還元用配管８、床暖房パネル５に対する熱媒の供給を断続する熱動弁９、などを備えている。
【００３０】
床暖房パネル５は、供給用配管７と還元用配管８とに接続された暖房用配管１０、及び、暖房用配管１０が蛇行状に敷設されたパネル材１１、などを備えている。
【００３１】
図示は省略するが、熱源機６は、熱媒を熱媒加熱用の熱交換器に経由させる機内配管、熱交換器を加熱するガスバーナ、ガスバーナに燃焼用空気を供給する送風機、及び、熱媒を循環させる循環ポンプ、などを備えている。これにより、熱源機６は、所定の目標温度（例えば、６０℃など）に昇温させた熱媒を床暖房パネル５に循環供給するように構成されている。
【００３２】
熱動弁９は、所定の設定サイクル時間で開閉されることにより、熱媒を床暖房パネル５に間欠的に循環供給する。熱動弁９は、開弁時間のデューティ比が複数段階に変更されることにより、床暖房パネル５の暖房能力を複数段階に調整する。
【００３３】
図１に示すように、遠隔操作装置４は、使用者による入力操作を可能にする入力部１２、文字情報などを表示する液晶式の表示装置１３、及び、暖房対象室１の室温を検出する室温検出器１４、などを備えている。入力部１２には、床暖房装置２の運転開始操作と運転停止操作とを可能にする運転スイッチ１２Ａ、暖房能力の選択操作を可能にする選択スイッチ１２Ｂ、及び、快適な室温が必要な起床時刻や帰宅時刻などの快温必要時刻などの数値入力を可能にする数値入力スイッチ１２Ｃ、などが備えられている。
【００３４】
制御装置３は、演算処理機能及び情報記憶機能などを有するマイクロプロセッサなどから構成されている。制御装置３は、床暖房装置２の運転停止中に運転スイッチ１２Ａが操作された場合は、床暖房装置２の運転を開始させる運転開始処理を行う。制御装置３は、床暖房装置２の運転中に運転スイッチ１２Ａが操作された場合は、床暖房装置２の運転を停止させる運転停止処理を行う。制御装置３は、選択スイッチ１２Ｂの選択操作が行われた場合は、この選択操作に応じて熱動弁９における開弁時間のデューティ比を変更して床暖房装置２の暖房能力を調整する暖房能力調整処理を行う。
【００３５】
図２に示すように、制御装置３は、使用者が入力した快温必要時刻よりも前のプレ運転時刻に床暖房装置２の運転を開始させるプレ運転制御などを行うように構成されている。
【００３６】
制御装置３は、プレ運転制御においては、時間情報取得処理、外気温取得処理、プレ運転時間取得処理、及び、プレ運転開始処理などを行う。
制御装置３は、時間情報取得処理においては、床暖房装置２の運転に関する時間情報として、使用者が入力した快温必要時刻、床暖房装置２の運転開始時刻、床暖房装置２の運転停止時刻、床暖房装置２の運転開始時刻から暖房対象室１の室温が快適温度に達するまでの快温到達時間、及び、運転停止時刻から運転開始時刻までの連続停止時間、を取得する。
制御装置３は、外気温取得処理においては、床暖房装置２の熱源機６に備えた外気温検出器１５を利用して、床暖房装置２の運転停止中に外気温を取得し、取得した外気温を記憶する。
制御装置３は、プレ運転時間取得処理においては、床暖房装置２の運転に関する時間情報に基づいて、快温必要時刻に暖房対象室１の室温が快適温度に達するのに必要なプレ運転時間を取得する。詳しくは、制御装置３は、プレ運転時間取得処理として、第１演算処理、関係情報取得処理、第２演算処理、抽出処理、及び、プレ運転時間設定処理を行う。そして、第１演算処理においては、連続停止時間にその直後の快温到達時間を加えて、運転停止時点から暖房対象室１の室温が快適温度に達するまでの停止後快温到達時間を求める。関係情報取得処理においては、直近の数日間（例えば７日間）に取得した複数の連続停止時間と複数の快温到達時間と複数の外気温と、直近の数日間に求めた複数の停止後快温到達時間とに基づいて、連続停止時間と、その直後の快温到達時間と、停止後快温到達時間と、外気温との関係を示す関係情報を生成する（図２参照）。第２演算処理においては、快温必要時刻からその前の運転停止時刻までの逆算快温到達時間を求める。抽出処理においては、関係情報と、逆算快温到達時間と、逆算快温到達時間に含まれる連続停止時間（床暖房装置２の運転停止中）に取得した最新外気温とに基づいて、逆算快温到達時間に類似する停止後快温到達時間を抽出する。具体的には、例えば、関係情報が図２に示すものであり、逆算快温到達時間が８時間であれば、最新外気温（１月１５日の外気温）に関係なく、１月１３日の停止後快温到達時間である８時間を抽出する。又、例えば、関係情報が図２に示すものであり、逆算快温到達時間が６．５時間であり、最新外気温が５℃であれば、逆算快温到達時間に類似する停止後快温到達時間として１月１２日と１月１４日の７時間があることから、最新外気温（５℃）に類似する外気温（５℃）に対応する１月１２日の停止後快温到達時間（７時間）を抽出する。プレ運転時間設定処理においては、抽出した停止後快温到達時間に含まれている快温到達時間をプレ運転時間に設定する。具体的には、例えば、抽出した停止後快温到達時間が１月１３日の８時間であれば、この８時間に含まれている快温到達時間である１時間をプレ運転時間に設定する。又、例えば、抽出した停止後快温到達時間が１月１２日の７時間であれば、この７時間に含まれている快温到達時間である１時間をプレ運転時間に設定する。
制御装置３は、プレ運転開始処理においては、快温必要時刻からプレ運転時間を遡ったプレ運転時刻に床暖房装置２の運転を開始させる。
【００３７】
この構成によると、制御装置３が時間情報取得処理にて取得する快温到達時間は、暖房対象室１の構造、暖房対象室１の壁や天井などにおける蓄熱量、及び、暖房対象室周辺の外気温、などの影響を受けるものであることから、取得した快温到達時間には、暖房対象室１の構造、暖房対象室１の壁や天井などにおける蓄熱量、及び、暖房対象室周辺の外気温、などが加味されている。
【００３８】
これにより、制御装置３は、使用者が入力した快温必要時刻を取得すると、前述した時間情報取得処理とプレ運転時間取得処理とプレ運転開始処理とを行うことにより、暖房対象室１の構造、暖房対象室１の壁や天井などにおける蓄熱量、及び、暖房対象室周辺の外気温、などが考量された適正なプレ運転時間を取得することができるとともに、快温必要時刻からプレ運転時間を遡った適正なプレ運転時刻に、床暖房装置２の運転を開始させることができる。
【００３９】
又、制御装置３は、関係情報取得処理にて、プレ運転時間の取得に影響を及ぼす外気温などの差が小さい直近の数日間に取得または求めた複数の連続停止時間と複数の快温到達時間と複数の停止後快温到達時間とに基づいて関係情報を生成し、抽出処理にて、関係情報のうちの第２演算処理で求めた逆算快温到達時間に類似する停止後快温到達時間に含まれている快温到達時間をプレ運転時間に設定する。そして、制御装置３は、逆算快温到達時間に類似する停止後快温到達時間が複数ある場合には、最新外気温に適した停止後快温到達時間に含まれている快温到達時間をプレ運転時間に設定する。
【００４０】
その結果、制御装置３は、外気温などがより適正に考慮されたプレ運転時間を取得することができ、これにより、より適正なプレ運転時刻に床暖房装置２の運転を開始させることができて、暖房対象室１の室温を、より確実に快適な室温が必要な時刻までに快適な温度まで温めておくことができる。
【００４１】
〔別実施形態〕
本発明は、上記の実施形態に例示された構成に限定されるものではなく、以下、本発明に関する代表的な別実施形態を例示する。
【００４２】
〔１〕床暖房システムは、床暖房パネル５に電気ヒータが埋設された電気式であってもよい。
【００４３】
〔２〕床暖房システムは、制御装置３がスマートフォンやタブレットなどの携帯通信端末と無線通信可能に接続設定され、制御装置３は、時間情報取得処理において、使用者が携帯通信端末に登録した目覚まし時刻を快温必要時刻として取得して記憶するように構成されていてもよい。
【００４４】
〔３〕制御装置３は、関係情報取得処理においては、直近の数日間として、例えば、８日間以上、又は、６日間以下に取得または求めた複数の連続停止時間と複数の快温到達時間と複数の停止後快温到達時間、などに基づいて、前述した関係情報を生成するように構成されていてもよい。
【００４５】
〔４〕図３に示すように、制御装置３は、時間情報取得処理において、床暖房装置２の運転に関する時間情報として、床暖房装置２の快温到達時間や連続停止時間などに加えて、床暖房装置２の運転開始時刻から運転停止時刻までの連続運転時間を取得し、快温必要時刻から直近の連続運転時間が、暖房対象室１の室温を快適温度に所定時間維持することが可能な快温維持時間（例えば２時間）に達していたか否かを判定する快温維持時間到達判定処理を行い、快温維持時間到達判定処理にて直近の連続運転時間が快温維持時間に達していたと判定した場合は、プレ運転時間取得処理において、床暖房装置２の運転に関する時間情報に基づいて、快温必要時刻に暖房対象室１の室温が快適温度に達するのに必要なプレ運転時間を取得し、快温維持時間到達判定処理にて直近の連続運転時間が快温維持時間に達していないと判定した場合は、プレ運転時間設定処理において、初期設定された最長快温到達時間（例えば３時間）をプレ運転時間に設定するように構成されていてもよい。
これは、快温必要時刻から直近の連続運転時間が快温維持時間に達していない場合は、快温必要時刻から直近の床暖房装置２の運転中に、床暖房パネル５からの熱が暖房対象室１の壁や天井などに充分に吸収されていないことから、プレ運転時間を設定する上において、暖房対象室１の壁や天井などにおける蓄熱量を考慮する必要性が大幅に低下する。
この点を考慮して、この別実施形態においては、快温必要時刻から直近の連続運転時間が快温維持時間に達していない場合は、制御装置３が、初期設定された最長快温到達時間をプレ運転時間に設定するようにしている。これにより、制御装置３は、快温必要時刻から直近の連続運転時間が快温維持時間に達していない場合のプレ運転時間取得処理においては、演算処理や関係情報取得処理を行う必要がなくなる。
その結果、快温必要時刻から直近の連続運転時間が快温維持時間に達していない場合においては、制御装置３の負担を軽減しながら適正なプレ運転時間を設定することができる。
【００４６】
〔５〕図３に示すように、制御装置３は、時間情報取得処理において、床暖房装置２の運転に関する時間情報として、床暖房装置２の快温到達時間や連続停止時間などに加えて、床暖房装置２の運転開始時刻から運転停止時刻までの連続運転時間を取得し、快温必要時刻から直近の連続運転時間が、暖房対象室１の室温を快適温度に所定時間維持することが可能な快温維持時間（例えば２時間）に達しているか否かを判定する第１判定処理（快温維持時間到達判定処理）と、逆算快温到達時間が前述した所定時間を超えているか否かを判定する第２判定処理とを行い、第１判定処理にて直近の連続運転時間が快温維持時間に達していると判定し、かつ、第２判定処理にて逆算快温到達時間が所定時間を超えていないと判定した場合は、プレ運転時間設定処理において、プレ運転時間を零に設定するように構成されていてもよい。
これは、快温必要時刻から直近の連続運転時間が快温維持時間に達している場合は、快温必要時刻から直近の床暖房装置２の運転中に、床暖房パネル５からの熱が暖房対象室１の壁や天井などに充分に吸収されており、逆算快温到達時間が前述した所定時間を超えていない場合は、暖房対象室１の壁や天井などにおける蓄熱量の低下が少ないことから、暖房対象室１の室温が快適な温度に維持されていると推測される。
この点を考慮して、この別実施形態においては、快温必要時刻から直近の連続運転時間が快温維持時間に達しており、かつ、逆算快温到達時間が前述した所定時間を超えていない場合は、制御装置３が、プレ運転時間を零に設定するようにしている。
その結果、制御装置３は、快温必要時刻から直近の連続運転時間が快温維持時間に達しており、かつ、逆算快温到達時間が前述した所定時間を超えていない場合は、プレ運転時間取得処理において演算処理や関係情報取得処理を行うことなく、床暖房装置２の不要なプレ運転を防止することができる。
【産業上の利用可能性】
【００４７】
本発明は、温水式の床暖房システム及び電気式の床暖房システムに適用することができる。
【符号の説明】
【００４８】
１    暖房対象室
２    床暖房装置
３    制御装置
５    床暖房パネル
１４  室温検出器
１５  外気温検出器
【図１】
2018169085.tif 000003
【図２】
2018169085.tif 000004
【図３】
2018169085.tif 000005